(57)【要約】【課題】ファンモータ自体の温度上昇や換気ファンの軸受けの温度上昇などがあった場合にも、換気ファンによる通風量と所望の風量との間にずれが生じることがなく、意図する通風量で換気を行いながら乾燥を行うことが可能な浴室乾燥機を提供する。【解決手段】吸い込み口１から浴室乾燥機本体９内に空気を流入させ、浴室乾燥機本体内に流入した空気を吹き出し口を経て吹き出させる循環ファン１４ａと、吸い込み口２から浴室乾燥機本体内に空気を流入させ、浴室乾燥機本体内に流入した空気を排気ダクト４７を経由して屋外に排出する換気ファン１４ｂと、循環ファンおよび換気ファンの運転を制御する制御部Ｂとを備えた浴室乾燥機Ａにおいて、浴室乾燥機本体内の圧力を検出する圧力センサＰＳを備え、換気ファンを運転して行う換気運転の実行時に、制御部が、圧力センサの検出値を所定の圧力に維持するように換気ファンの運転を制御するように構成する。【選択図】図１
2017116124.tif 000002
【特許請求の範囲】
【請求項１】
吸い込み口から浴室乾燥機本体内に空気を流入させ、前記浴室乾燥機本体内に流入した空気を吹き出し口を経て吹き出させる循環ファンと、
前記吸い込み口から前記浴室乾燥機本体内に空気を流入させ、前記浴室乾燥機本体内に流入した空気を排気ダクトを経由して屋外に排出する換気ファンと、
前記循環ファンおよび前記換気ファンの運転を制御する制御部と
を備えた浴室乾燥機であって、
前記浴室乾燥機本体内の圧力を検出する圧力センサを備え、
前記換気ファンを運転して行う換気運転の実行時に、前記制御部が、前記圧力センサの検出値を所定の圧力に維持するように前記換気ファンの運転を制御すること
を特徴とする浴室乾燥機。
【請求項２】
前記制御部が、前記循環ファンおよび前記換気ファンのいずれもが停止している状態における前記圧力センサの検出圧力を基準圧力として記憶し、前記基準圧力をゼロとして、前記圧力センサの検出圧力を補正するように構成されていることを特徴とする請求項１記載の浴室乾燥機。
【請求項３】
前記浴室乾燥機本体内に流入する埃を捕捉するフィルタを前記吸い込み口に備え、
前記圧力センサによる検出圧力を前記所定の圧力に維持した状態における、前記換気ファンの回転速度が所定の回転速度以上であるとき、前記フィルタの清掃が必要である旨の報知を行うように構成されていること
を特徴と請求項１または２記載の浴室乾燥機。
【発明の詳細な説明】
【技術分野】
【０００１】
本発明は、浴室乾燥機に関し、詳しくは、換気ファンにより適切な換気を行いながら浴室の乾燥を行うように構成された浴室乾燥機に関する。
【背景技術】
【０００２】
浴室乾燥機には、換気ファンにより適切な換気を行いながら浴室の乾燥を行うようにした構成のものがある。
【０００３】
このような浴室乾燥機の１つとして、特許文献１には、換気ファンを通風作動させるためのファンモータと、そのファンモータへの印可電圧を制御する制御手段とが設けられ、制御手段が、予め設定されたファンモータの目標回転速度とファンモータへの印可電圧との設定関係に基づいて、ファンモータの回転速度が目標回転速度になるように、ファンモータへの印可電圧を制御するように構成し、所望の風量にて換気を行うことができるように構成された風量制御装置を備えた浴室暖房乾燥装置が開示されている。
【０００４】
この特許文献１の風量制御装置および浴室暖房乾燥機は、外気温度検出手段による外気温度に基づいて、設定関係を補正した補正関係を求めるとともに、求めた補正関係に基づいて、換気ファンのファンモータへの印可電圧を制御することで、外気の温度にかかわらず、所望の風量を得ることができるように構成されている。
【先行技術文献】
【特許文献】
【０００５】
【特許文献１】特開２００３−７４９５４号公報
【発明の概要】
【発明が解決しようとする課題】
【０００６】
しかしながら、特許文献１の風量制御装置および浴室暖房乾燥機では、継続して換気ファンのファンモータが稼働することにより、ファンモータ自体の温度上昇や換気ファンの軸受けの温度上昇などに起因して、換気ファンの特性に変化が生じたときに、換気ファンによる通風量と、所望の風量との間にずれが生じるおそれがあり、改善のすべき余地があるのが実情である。
【０００７】
本発明は、上記の課題を解決するもので、ファンモータ自体の温度上昇や換気ファンの軸受けの温度上昇などがあった場合にも、換気ファンによる通風量と所望の風量との間にずれが生じることがなく、意図する通風量で換気を行いながら乾燥を行うことが可能な浴室乾燥機を提供することを目的とする。
【課題を解決するための手段】
【０００８】
上記の目的を達成するために、本発明の浴室乾燥機は、
吸い込み口から浴室乾燥機本体内に空気を流入させ、前記浴室乾燥機本体内に流入した空気を吹き出し口を経て吹き出させる循環ファンと、
前記吸い込み口から前記浴室乾燥機本体内に空気を流入させ、前記浴室乾燥機本体内に流入した空気を排気ダクトを経由して屋外に排出する換気ファンと、
前記循環ファンおよび前記換気ファンの運転を制御する制御部と
を備えた浴室乾燥機であって、
前記浴室乾燥機本体内の圧力を検出する圧力センサを備え、
前記換気ファンを運転して行う換気運転の実行時に、前記制御部が、前記圧力センサの検出値を所定の圧力に維持するように前記換気ファンの運転を制御すること
を特徴としている。
【０００９】
本発明の浴室乾燥機において、前記制御部が、前記循環ファンおよび前記換気ファンのいずれもが停止している状態における前記圧力センサの検出圧力を基準圧力として記憶し、前記基準圧力をゼロとして、前記圧力センサの検出圧力を補正するように構成されていることが好ましい。
【００１０】
また、前記浴室乾燥機本体内に流入する埃を捕捉するフィルタを前記吸い込み口に備え、
前記圧力センサによる検出圧力を前記所定の圧力に維持した状態における、前記換気ファンの回転速度が所定の回転速度以上のとき、前記フィルタの清掃が必要である旨の報知を行うように構成されていることが好ましい。
【発明の効果】
【００１１】
本発明の浴室乾燥機は、上述のよう構成されており、循環ファンと、換気ファンと、循環ファンおよび換気ファンの運転を制御する制御部とを備えるとともに、浴室乾燥機本体内の圧力を検出する圧力センサを備え、換気ファンを運転して行う換気運転の実行時に、制御部が、圧力センサの検出値を所定の圧力に維持するように換気ファンの運転を制御するようにしているので、例えば、圧力センサによる、浴室乾燥機本体内の検出圧力が所定の圧力（例えば−１４Ｐａ、すなわち、浴室乾燥機本体の外部（大気圧）よりも１４Ｐａ低い圧力）を維持するように換気ファンの駆動手段（ファンモータなど）に印加する電圧を制御することで、吸い込み口の外側の圧力と吸い込み口の内側の圧力（浴室乾燥機本体の内部）との差圧を所定の値（例えば１４Ｐａ）に維持することが可能になる。その結果、換気ファンによる通風量は、所定の換気風量（例えば１００ｍ3毎時）に維持され、換気ファンモータ自体の温度上昇や換気ファンの軸受けの温度上昇などが生じても、換気ファンによる通風量と所望の風量との間にずれが生じることのない浴室乾燥機を提供することができるようになる。
【００１２】
また、本発明の浴室乾燥機において、制御部が、循環ファンおよび換気ファンのいずれもが停止している状態における前記圧力センサの検出圧力を基準圧力として記憶し、基準圧力をゼロとして、圧力センサの検出圧力を補正するように構成した場合、換気風量がゼロのときの圧力をゼロとして圧力センサの検出圧力を補正することができるので、圧力センサのゼロ点のズレにより検出誤差が生じることが防止して、換気ファンによる通風量を、意図する量に制御することができる。
【００１３】
また、浴室乾燥機本体内に流入する埃を捕捉するフィルタを吸い込み口に備え、圧力センサによる検出圧力を所定の圧力に維持した状態における、換気ファンの回転速度が所定の回転速度以上であるとき、フィルタの清掃が必要である旨の報知を行うように構成した場合、フィルタに埃が詰まって吸い込み口の通過抵抗が上昇している可能性が高いことを利用して、フィルタの清掃が必要である旨の報知を適切に行うことが可能になる。
【図面の簡単な説明】
【００１４】
【図１】本発明の一実施形態にかかる浴室乾燥機の構成を示す縦断面図である。
【図２】本発明の一実施形態にかかる浴室乾燥機の内部の配管を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器の正面図である。
【図６】本発明の一実施形態にかかる浴室乾燥機が備える浴室用の操作器の正面図である。
【図７】本発明の一実施形態にかかる浴室乾燥機の換気ダクト出口の圧力（静圧）が変化した場合の排気風量を示す図である。
【発明を実施するための形態】
【００１５】
以下、本発明の実施形態を示して、その特徴とするところをさらに詳しく説明する。
【００１６】
［実施形態］
この実施形態１にかかる浴室乾燥機は、図１〜３に示すように、ユニットバスなどの浴室２に設置されるミスト機能付浴室乾燥機（以下、単に「浴室暖房乾燥機Ａ」という）として構成されている。
【００１７】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００１８】
また、この浴室暖房乾燥機Ａを浴室２に設置するにあたっては、例えば、図３に示すように、浴槽７の上方の、浴室２の天井８に設置される。
【００１９】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２０】
また、図１および図２に示すように、浴室暖房乾燥機本体９内には、熱交換器（温風用熱交換器）（加熱部）１３および送風機１４（１４ａ，１４ｂ）が内装されている。
【００２１】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
【００２２】
また、図１および図２に示すように、暖房用温水管路１５には温風用熱交換器１３への温水の供給を開閉する熱動弁１７が設けられており、暖房用温水管路１５にはこの管路を流れる温水の温度を検出する暖房温水サーミスタＴＨ２が配設されている。
【００２３】
なお、熱源機１６で加熱された温水は、往き配管５１を経由して浴室暖房乾燥機Ａに備える往き配管接続部５２（図１）から浴室暖房乾燥機Ａに送り込まれ、浴室暖房乾燥機Ａに備える温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００２４】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００２５】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２６】
また、浴室暖房乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００２７】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。
【００２８】
２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
この実施形態の浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００２９】
ミスト用給水管路２０には、水道水、いわゆる上水が供給されるように構成されており、入口側から順にストレーナ２２、給水電磁弁２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３０】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３１】
また、浴室暖房乾燥機Ａは、図３に示すように、浴室２外の脱衣所に設けた操作器５や浴室２内に設けた操作器３０にてリモコン操作されるように構成されている。
【００３２】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００３３】
また、図６に示すように、浴室用の操作器３０には、状態表示部４０、ミストサウナスイッチ３４、ミストスイッチ４１、温度設定スイッチ４２、暖房スイッチ３６、涼風スイッチ３７、風向スイッチ３３、ミスト入浴時間計測用のストップウォッチのスタート／ストップスイッチ４３、リセットスイッチ４５、停止スイッチ３９が設けられている。
【００３４】
また、この実施形態にかかる浴室暖房乾燥機Ａにおいては、グリル板１２の吸い込み口１近傍に、吸気の湿度を検知する湿度検出手段２７（図１、図２）が配設されている。
湿度検出手段２７としては、例えば、ＮＴＣサーミスタなどの感温素子で構成された湿度センサを用いることができる。
【００３５】
なお、湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００３６】
また、図４は、浴室暖房乾燥機Ａの制御部Ｂの一例を示す図である。制御部Ｂには、メモリ２８、演算回路２９などが内蔵され、上記操作器５や操作器３０をリモコン操作することで制御部Ｂにて、以下に説明するような制御が行われるように構成されている。
【００３７】
なお、ここでは自動乾燥運転時における、残り運転時間表示機能を備えた浴室暖房乾燥機Ａの乾燥運転について説明する。
【００３８】
乾燥運転を開始するにあたっては、脱衣所用の操作器５の乾燥スイッチ６（図５）を押し操作する。この操作によって、乾燥［エコ］ランプ３５が点灯し、乾燥運転が開始する。
【００３９】
乾燥運転が開始すると、換気ファン１４ｂが作動するとともに、循環ファン１４ａが作動し、循環ファン１４ａによって浴室暖房乾燥機本体９内に取り込まれた空気が、温風用熱交換器（加熱部）１３により加熱される。
【００４０】
そして、乾燥運転開始後、時間Ｔ１（例えば２５分）が経過したかどうかを判定し、この時間Ｔ１が経過していた場合、以下の、湿度検出用循環加熱運転が実行される。
【００４１】
湿度検出用循環加熱運転では、換気ファン１４ｂを停止するとともに、循環ファン１４ａの作動および温風用熱交換器（加熱部）１３による加熱を継続する。
【００４２】
そして、湿度検出用循環加熱運転の実行中に、湿度検出手段２７によって検出された湿度の上昇速度が所定の上昇速度以下であると判定したとき、それまで表示されていなかった、タイマー表示部（時間表示部）３１への、乾燥運転の残時間の表示を開始し、その後、時間の経過とともにタイマー表示部（時間表示部）３１に表示した残時間のカウントダウンを行い、タイマー表示部（時間表示部）３１に表示した残時間がゼロになるまで乾燥運転を継続する。
【００４３】
この実施形態では、湿度検出用循環加熱運転中の換気ファン１４ｂの停止中における、所定期間（例えば７分）の開始時の湿度検出手段２７による検出湿度Ｈ１と、この所定期間（例えば７分）の終了時の湿度検出手段２７による検出湿度Ｈ２を求め、Ｈ２とＨ１との差Ｈ（Ｈ＝Ｈ２−Ｈ１）が所定の判定値以下である場合に、前記上昇速度が所定の上昇速度以下であると判定する。
【００４４】
さらに具体的に説明すると、この実施形態では、検出される空気の絶対湿度Ｈ（＝Ｈ２−Ｈ１）が、
Ｈ＝−０．０７４３×４０×２×ｅｘｐ（−１５）
以下のときに、湿度検出手段２７によって検出された湿度の上昇速度が所定の上昇速度以下であると判定し、タイマー表示部（時間表示部）３１に３０分を表示し、その後、時間の経過とともにタイマー表示部（時間表示部）３１に表示した残時間（３０分）のカウントダウンを行い、タイマー表示部（時間表示部）３１に表示した残時間がゼロになるまで乾燥運転を継続する。
【００４５】
さらに、この実施形態の浴室暖房乾燥機Ａでは、それまで表示されていなかった、タイマー表示部（時間表示部）３１への、乾燥運転の残時間の表示を開始した後に、上記湿度検出用循環加熱運転を実行して、湿度検出手段２７によって検出された湿度の上昇速度が前記所定の上昇速度より大きいと判定したときには、その後、上記湿度検出用循環加熱運転を繰り返し行い、繰り返し行った上記湿度検出用循環加熱運転中において、湿度検出手段２７によって検出された湿度の上昇速度が所定の上昇速度以下であると判定した時点で、タイマー表示部（時間表示部）３１への、乾燥運転の残時間の更新表示を行うようにしている。このように構成することで、例えば、浴室内に、濡れた洗濯物などが追加された場合にも、洗濯物や、浴室などの乾燥が不充分になってしまうことが抑制される。
【００４６】
＜特徴的構成＞
次に、この実施形態にかかる浴室暖房乾燥機Ａの特徴的な構成について説明する。
【００４７】
浴室暖房乾燥機Ａは、浴室２外の脱衣所に設けた操作器５（図５）に備える換気スイッチ３８を操作することで、所定の換気風量にて換気運転が実行されるように構成されている。
【００４８】
換気運転が実行されると、制御部Ｂは換気ファン１４ｂ用のファンモータに通電して換気ファン１４ｂを駆動し、吸い込み口１から浴室暖房乾燥機本体９内に流入した空気を、排気ダクト４７（図３）を経由して屋外に排出する（図１、図２、図３、図４参照）。
【００４９】
なお、この実施形態の浴室暖房乾燥機Ａにおいては、吸い込み口１に浴室暖房乾燥機本体９内に流入する埃を捕捉するフィルタ（図示せず）が配設されている。
【００５０】
そして、この実施形態の浴室暖房乾燥機Ａにおいて、吸い込み口１から浴室暖房乾燥機本体９内に流入した空気を、排気ダクト４７を経由して屋外に排出する換気運転を実行するときの上記所定の換気風量は、操作器５を用いて予め設定することができるように構成されている。
【００５１】
なお、どのように上記所定の換気風量を予め設定するかについては、種々の周知の方法を採用することが可能であり、ここでは具体的な説明を省略する。
【００５２】
この実施形態の浴室暖房乾燥機Ａは、換気ファン１４ｂによって吸い込み口１から浴室内の空気を吸い込む際における、浴室暖房乾燥機本体９の外側（浴室２）の圧力に対する浴室暖房乾燥機本体９の内部の圧力の低下量を測定する圧力センサＰＳ（図１、図２、図４）を備えている。
なお、この実施形態において、圧力とは、特に説明がない限り、循環ファン１４ａおよび換気ファン１４ｂの両方を停止している状態における圧力センサＰＳの検出圧力、すなわち、浴室暖房乾燥機本体９の外部の圧力を基準圧力とする相対圧力をいう。
【００５３】
この浴室暖房乾燥機Ａでは、所定の換気風量（例えば１００ｍ3毎時）で換気運転が実行されるとき、制御部Ｂにより、圧力センサＰＳによる検出圧力が所定の圧力（この実施形態では、例えば−１４Ｐａ、すなわち、浴室乾燥機本体９の外部（大気圧）よりも１４Ｐａ低い圧力）を維持するように、換気ファン１４ｂのファンモータに印加される電圧が制御されるように構成されている。
【００５４】
また、換気ファン１４ｂのファンモータとしてＤＣブラシレスモータが用いられており、制御部Ｂによって、以下に説明する態様で換気ファン１４ｂのファンモータに印加する電圧の制御が行われる。
【００５５】
例えば、圧力センサＰＳによる検出圧力の絶対値が１４Ｐａより小さいときには、換気ファン１４ｂのファンモータに印加する電圧の絶対値を増加させ、圧力センサＰＳによる検出圧力の絶対値が１４Ｐａより大きいときには、換気ファン１４ｂのファンモータに印加する電圧の絶対値を減少させる。
【００５６】
なお、圧力センサＰＳによる検出圧力が所定の圧力（この実施形態では、例えば上述の「−１４Ｐａ」）を維持するように換気ファン１４ｂのファンモータに印加する電圧を制御する態様としては、圧力センサＰＳによる検出圧力と所定の圧力（上述の「−１４Ｐａ」）との偏差に基づきＰＩＤ（比例積分微分）制御によって換気ファン１４ｂのファンモータに印加する電圧を増減するなど、種々の制御方式を採用することが可能である。
【００５７】
そして、圧力センサＰＳによる検出圧力が所定の圧力（例えば上述の「−１４Ｐａ」）を維持するように換気ファン１４ｂのファンモータに印加する電圧を制御することで、吸い込み口１の外側の圧力と吸い込み口１の内側の圧力（浴室暖房乾燥機本体９の内部）と差圧が所定の圧力（例えば１４Ｐａ）に維持されることになり、換気ファン１４ｂによる通風量は、所定の排気風量（例えば１００ｍ3毎時）に維持される（図７参照）。なお、図７は、圧力センサＰＳによる検出圧力が上述の「−１４Ｐａ」一定となるように制御した場合における、静圧と排気風量の関係を示す図であり、例えば、排気ダクトの長さや断面積などの影響で静圧が変動した場合にも、排気風量が大きく変動しないことを示している。
【００５８】
また、制御部Ｂは、循環ファン１４ａおよび換気ファン１４ｂのいずれもが停止している状態における圧力センサＰＳの検出圧力を基準圧力としてメモリ２８に記憶し、この基準圧力をゼロとして、圧力センサＰＳの検出圧力を補正するように構成されている。つまり、制御部Ｂは、循環ファン１４ａおよび換気ファン１４ｂのいずれもが停止している状態において、圧力センサＰＳのゼロ点補正を行うことができるように構成されている。
【００５９】
この実施形態の浴室暖房乾燥機Ａは上述のように構成されているので、圧力センサＰＳによる検出圧力が所定の圧力（この実施形態では、例えば上述の「−１４Ｐａ」）を維持するように換気ファン１４ｂのファンモータに印加する電圧を制御することで、吸い込み口の外側の圧力と吸い込み口の内側の圧力（浴室暖房乾燥機本体９の内部）と差圧が所定の圧力（例えば１４Ｐａ）に維持されることになる。その結果、換気ファン１４ｂによる通風量は、所定の換気風量（例えば１００ｍ3毎時）に維持され、換気ファン１４ｂのファンモータ自体の温度上昇や換気ファン１４ｂの軸受けの温度上昇によっても、換気ファン１４ｂによる通風量と所望の風量との間にずれが生じることのない、信頼性の高い浴室乾燥機を実現することができる。
【００６０】
また、上述のように、制御部Ｂは、循環ファン１４ａおよび換気ファン１４ｂのいずれもが停止している状態において、圧力センサＰＳのゼロ点補正を行うように構成されているので、換気風量がゼロのときの圧力をゼロとして圧力センサの検出圧力を補正することができる。その結果、圧力センサのゼロ点のズレにより検出誤差が生じることを防止して、換気ファンによる通風量を、精度よく制御することができる。
【００６１】
また、制御部Ｂが、循環ファン１４ａと換気ファン１４ｂのいずれもが停止している状態における圧力センサＰＳの検出圧力を基準圧力としてメモリ２８に記憶し、この基準圧力をゼロとして、圧力センサＰＳの検出圧力を補正するようにした構成は任意の構成であり、上述のような補正を行わないようにすることも可能である。
【００６２】
また、この実施形態の浴室暖房乾燥機Ａは、上述のように、浴室暖房乾燥機本体９内に流入する埃を捕捉するフィルタ（図示せず）を吸い込み口に備えており、フィルタに埃が付着していない状態では、圧力センサＰＳによる検出圧力を所定の圧力（例えば上述の「−１４Ｐａ」）に維持した状態における、換気ファン１４ｂの回転速度が１１５０ｒｐｍとなるように構成されている。しかしながら、吸い込み口１のフィルタに埃が付着すると、浴室２内の空気が吸い込み口１を通過する際の通過抵抗が増大する。
【００６３】
そして、フィルタに付着する埃の量が増大すると、圧力センサＰＳによる検出圧力を所定の圧力（例えば上述の「−１４Ｐａ」）に維持した状態における、換気ファン１４ｂの回転速度も増加する。
【００６４】
これに対し、この実施形態の浴室暖房乾燥機Ａでは、圧力センサＰＳによる検出圧力を所定の圧力（例えば上述の「−１４Ｐａ」）に維持した状態における、換気ファン１４ｂの回転速度が所定の回転速度（１２５０ｒｐｍ）以上になったときに、フィルタの清掃が必要である旨の報知を行うように構成されている。
【００６５】
具体的には、操作器５（図５）が備える換気スイッチ３８の上方に配設された強ＬＥＤ３８ａおよび弱ＬＥＤ３８ｂを交互に点滅させることにより、フィルタの清掃が必要である旨の報知を行う。
【００６６】
なお、上述のような報知を行う場合には、浴室暖房乾燥機Ａの取扱説明書に、「操作器５（図５）が備える換気スイッチ３８の上方に設けた強ＬＥＤ３８ａおよび弱ＬＥＤ３８ｂが交互に点滅するときには、吸い込み口１に備えるフィルタの清掃が必要である」旨を記載して、使用者に認識して貰うようにしておくことが必要となる。
【００６７】
また、上述の強ＬＥＤ３８ａと弱ＬＥＤ３８ｂとを交互に点滅させる報知に代えて、音声による「フィルタの清掃が必要である」旨の報知を行うように構成することも可能である。このような音声による報知を行うことにより、使用者に報知の意図を明確に伝えることができる。
【００６８】
また、この実施形態では上述のように、圧力センサＰＳによる検出圧力を所定の圧力（例えば上述の「−１４Ｐａ」）に維持した状態における、換気ファン１４ｂの回転速度が所定の回転速度（例えば１２５０ｒｐｍ）以上になったときは、フィルタに埃が詰まって吸い込み口１の通過抵抗が上昇している可能性が高いことを利用して、フィルタの清掃が必要である旨の報知を適切に行うことができる。
【００６９】
なお、上述の、浴室暖房乾燥機本体９内に流入する埃を捕捉するフィルタを吸い込み口１に設けた構成は任意の構成であって、フィルタを備えていない構成とすることも可能である。
【００７０】
また、上記実施形態にかかる本発明の浴室暖房乾燥機Ａにおいては、換気ファン１４ｂのファンモータとしてＤＣブラシレスモータを用いた場合について説明したが、換気ファン１４ｂのファンモータとして、誘導電動機のような交流モータを用いてもよく、その場合、換気ファン１４ｂのファンモータに印加する交流電圧の周波数や電圧などを可変制御するＶＶＶＦ制御によって、圧力センサＰＳによる検出圧力が所定の圧力（例えば上述の「−１４Ｐａ」）を維持するように、換気ファン１４ｂのファンモータを制御する方式を採用することも可能である。
【００７１】
なお、本発明は、さらにその他の点においても上記実施形態に限定されるものではなく、発明の範囲内において種々の応用、変形を加えることが可能である。
【符号の説明】
【００７２】
１        吸い込み口
２        浴室
３        吹き出し口
５        操作器
１２      グリル板
１３      熱交換器（温風用熱交換器）（加熱部）
１４      送風機
１４ａ    循環ファン
１４ｂ    換気ファン
１６      熱源機
２７      湿度検出手段（湿度センサ）
２９      演算回路
３１      タイマー表示部（時間表示部）
５１      往き配管
３８      換気スイッチ
３８ａ    強ＬＥＤ
３８ｂ    弱ＬＥＤ
４７      排気ダクト
５２      往き配管接続部
６１      戻り配管
６２      戻り配管接続部
Ａ        浴室暖房乾燥機
Ｂ        制御部
ＰＳ      圧力センサ
ＴＨ１    ミスト温度サーミスタ
ＴＨ２    往き温水温度検出部（暖房温水サーミスタ）
ＴＨ３    浴室温度サーミスタ
【図１】
2017116124.tif 000003
【図２】
2017116124.tif 000004
【図３】
2017116124.tif 000005
【図４】
2017116124.tif 000006
【図５】
2017116124.tif 000007
【図６】
2017116124.tif 000008
【図７】
2017116124.tif 000009